(57)【要約】【課題】  子機に複数の着信音の音源データを記憶しておき、子機側において着信音の音源データを切り替えて再生できるようにしたコードレス電話装置を提供する。【解決手段】  コードレス電話装置１０は電話回線に接続される親機２０と、親機２０と無線接続される子機３０と、から構成される。子機３０は、親機２０と双方向通信する無線部３３と、複数の着信音の音源データを識別符号と対応付けて記憶したメモリ３７と、メモリ３７から読み出された音源データを再生出力する出力部（マイク・スピーカ部）３５とを備え、親機２０は電話回線から着信があった場合、子機３０に送信する着信データに着信音を特定する識別符号を付加して子機３０に送信する。子機３０は識別符号に応じた音源データを出力部で再生出力する。【選択図】      図３
2007013876.tif 000002
【特許請求の範囲】
【請求項１】
電話回線に接続される親機と、前記親機と無線接続される子機と、から構成されるコードレス電話装置であって、
前記子機は、親機と双方向通信する無線部と、複数の着信音の音源データを識別符号と対応付けて記憶したメモリと、前記メモリから読み出された音源データを再生出力する出力部とを備え、
前記親機は電話回線から着信があった場合、子機に送信する着信データに着信音を特定する識別符号を付加して前記子機に送信することを特徴とするコードレス電話装置。
【請求項２】
電話回線に接続される親機と、前記親機と無線接続される子機と、から構成されるコードレス電話装置であって、
前記子機は、親機と双方向通信する無線部と、複数の着信音の音源データを識別符号と対応付けて記憶したメモリと、前記メモリから読み出された音源データを再生出力する出力部とを備え、
前記親機は子機における着信音を特定する識別符号を設定した際、前記子機に当該識別符号を送信し、子機は親機から送信された前記識別符号をメモリに記憶し、
前記親機は電話回線から着信があった場合、前記子機に着信データを送信し、前記子機はメモリ前記識別符号に対応した着信音を出力することを特徴とするコードレス電話装置。
【請求項３】
電話回線に接続される親機と、前記親機と無線接続される子機と、から構成され、ナンバーディスプレイ関連サービス設定が可能なコードレス電話装置であって、
前記子機は、親機と双方向通信する無線部と、複数の着信音の音源データを識別符号と対応付けて記憶したメモリと、前記メモリから読み出された音源データを再生出力する出力部とを備え、
前記親機は電話回線から着信があった場合、前記ナンバーディスプレイ関連サービス設定において親機または子機に登録された電話番号を含む着信データを前記子機に送信する際、当該電話番号を含む着信データに着信音を特定する識別符号を付加して前記子機に送信することを特徴とするコードレス電話装置。
【発明の詳細な説明】
【技術分野】
【０００１】
本発明は、無線通信により通信する親機と子機からなり、発信電話番号によって着信音（着信メロディーを含む）を切り替える機能を有するコードレス電話装置に関するものであり、特に、親機から子機に送信する着信信号に子機側において切り替えるべき着信音を指示する着信音識別符号を付加するように構成したコードレス電話装置に関するものである。
【背景技術】
【０００２】
従来からオフィスや家庭において、公衆回線網に接続される加入電話のような固定電話装置の他、無線通信機能により結ばれる親機と子機からなるコードレス電話装置が広く使用されている。近年では親機にファクシミリ機能を備えたコードレス電話装置機も普及している。
【０００３】
これらの電話装置においては、電話装置に着信があった場合、発信側電話番号を電話装置の表示部に表示する、いわゆるナンバーディスプレイサービスなども提供されている。また、電話装置に着信があった場合、着信音（呼び出し音）が電話装置のスピーカを通して発音されるが、着信の際にユーザの好みによって特定の着信音に切り替えて着信音を発生することも一般的に行われている。また、オフィス内において内線と外線により異なる着信音とする着信音切り替え制御方法や、ナンバーディスプレイサービスを利用して家族の携帯電話装置からの着信とそれ以外の電話装置からの着信、あるいは個々の発信側電話番号に応じてそれぞれ異なる着信音とするような着信音切り替え制御方法が一般的に利用されている。
【０００４】
最近では、着信音の音源としてユーザの好みの音楽データを保存しておきこれを再生する、いわゆる着信メロディーを着信音として使用する機能が好まれている。このような機能は携帯電話において広く普及している。コードレス電話装置においても同様に音源として音楽データを利用できることが好ましい。本明細書において、用語「着信音」はこのような音楽データを利用した着信メロディーも含む用語として定義する。「コードレス電話装置」は、ファクシミリ機能を有するコードレス電話装置を含むものとして定義する。
【０００５】
一般に上記のような着信音の切り替え機能を有するコードレス電話装置においては、親機、子機のそれぞれの機能設定メニューを操作して音質の設定や着信音のオン・オフ設定などの操作を行う必要があり、操作が煩雑である。このような操作の煩雑さを解消するために、親機側に音源手段を備え、親機側から子機側に着信音のアナログデータそのものを無線送信し、子機側で出力するコードレス電話装置も提案されている。
【０００６】
このようなサードレス電話装置は、例えば、下記の特許文献１（特開２００３−１６９１０６号公報）に「コードレス通信装置」として開示されている。このコードレス通信装置は、親機と子機とを有するコードレス通信装置において、親機に設けられ、着信音や簡易音楽プレーヤとして発生する音源発生手段と、上記音源発生手段が発生した着信音を、通話チャネルを使用して、上記子機に送信する送信手段とを有する構成としたものである。
【０００７】
コードレス通信装置をこのように構成することによって、ＦＭ音源やＰＣＭ音源やＭＰ３再生機能を搭載している高価な音源ＩＣ等を必要とする場合に、親機だけに上記高価な音源ＩＣ等を搭載し、子機に上記高価な音源ＩＣ等を搭載しなくても、その上記高価な音源ＩＣで発生するメロディーを、親機でも子機でも、呼び出し音として発生させたり、簡易音楽プレーヤとすることができるようになる。
【０００８】
また、下記の特許文献２（特開２００４−８０５６７号公報）にも「コードレス電話装置」として上記特許文献１と同様の電話装置か開示されている。このコードレス電話装置は、回線を通じて音声信号の送受信を行うと共に、子機と双方向に無線通信を行うための無線通信部と、着信音や保留音を高機能化するための高機能音源とを備えた親機と、親機と双方向に無線通信を行うための無線通信部を備えた子機と、で構成されたものである。コードレス電話装置は子機で使用する着信音や保留音を、親機と子機との間の通信規約により高機能音源を備えた親機で生成して子機へ転送させることで、子機側でも親機の高機能音源が生成する着信メロディーや保留メロディーを利用可能となる。
【特許文献１】特開２００３−１６９１０６号公報（図１、段落［００１０］、［００１１］）
【特許文献２】特開２００４−８０５６７号公報（図１、図３、段落［００１５］〜［００１８］）
【発明の開示】
【発明が解決しようとする課題】
【０００９】
しかしながら、上記特許文献１、特許文献２に開示されたコードレス電話装置は、何れも親機に音源手段を備え、着信音のアナログデータは親機で生成され、親機と子機間の無線通信チャネル（通話チャネル）を使用して子機に無線送信されるものである。このように着信音のアナログデータそのものを無線通信により親機から子機に送信すると、音質が劣化するという問題があった。また、親機のスピーカから着信音が送出されるタイミングに比べて子機のスピーカから着信音が送出されるという問題点があった。
【００１０】
本願の発明者は上記の問題点を解消すべく種々検討を重ねた結果、近年では容量の大きいメモリが小型化しかつ安価に提供されている点に着目し、子機に着信音の音源データを記憶しておくメモリを備え、当該メモリに親機に設定されていると同様の複数の着信音の音源データを記憶しておき、親機から子機に送信する着信データに子機側で選択すべき着信音を指定する識別符号を付加することによって上記問題を解消し得ることを着想して本発明を完成するに至ったものである。
【００１１】
すなわち、本発明は、前記の問題点を解消することを課題とし、子機に複数の着信音の音源データを記憶しておき、子機側において着信音の音源データを切り替えて再生できるようにしたコードレス電話装置を提供することを目的とするものである。
【課題を解決するための手段】
【００１２】
前記課題を解決するために、本願の請求項１にかかる発明は、電話回線に接続される親機と、前記親機と無線接続される子機と、から構成されるコードレス電話装置であって、
前記子機は、親機と双方向通信する無線部と、複数の着信音の音源データを識別符号と対応付けて記憶したメモリと、前記メモリから読み出された音源データを再生出力する出力部（例えばマイク・スピーカ部）とを備え、前記親機は電話回線から着信があった場合、子機に送信する着信データに着信音を特定する識別符号を付加して前記子機に送信することを特徴とする。
【００１３】
また本願の請求項２にかかる発明は、電話回線に接続される親機と、前記親機と無線接続される子機と、から構成されるコードレス電話装置であって、前記子機は、親機と双方向通信する無線部と、複数の着信音の音源データを識別符号と対応付けて記憶したメモリと、前記メモリから読み出された音源データを再生出力する出力部とを備え、前記親機は子機における着信音を特定する識別符号を設定した際、前記子機に当該識別符号を送信し、子機は親機から送信された前記識別符号をメモリに記憶し、前記親機は電話回線から着信があった場合、前記子機に着信データを送信し、前記子機はメモリ前記識別符号に対応した着信音を出力することを特徴とする。
【００１４】
また、本願の請求項３にかかる発明は、電話回線に接続される親機と、前記親機と無線接続される子機と、から構成され、ナンバーディスプレイ関連サービス設定が可能なコードレス電話装置であって、前記子機は、親機と双方向通信する無線部と、複数の着信音の音源データを識別符号と対応付けて記憶したメモリと、前記メモリから読み出された音源データを再生出力する出力部（例えばマイク・スピーカ部）とを備え、前記親機は電話回線から着信があった場合、前記ナンバーディスプレイ関連サービス設定において親機または子機に登録された電話番号を含む着信データを前記子機に送信する際、当該電話番号を含む着信データに着信音を特定する識別符号を付加して前記子機に送信することを特徴とする。
【発明の効果】
【００１５】
請求項１にかかる発明においては、子機は、親機と双方向通信する無線部と、複数の着信音の音源データを識別符号と対応付けて記憶したメモリと、前記メモリから読み出された音源データを再生出力する出力部とを備え、親機は電話回線から着信があった場合、子機に送信する着信データに着信音を特定する識別符号を付加して前記子機に送信する。
【００１６】
従って、子機側においては何ら着信音切り替え操作、着信音切り替え設定を操作することなく、好みの着信音に切り替えることができるようになる。また、子機に音源データそのものを記憶しておき再生するものであるから、親機から着信音のアナログデータを無線通話チャネル経由で送信する従来の方法に比べ、音質が劣化することがない。また、子機において着信音が生成されるタイミングが遅れることもなくなる。
【００１７】
また、本願の請求項２にかかる発明においては、親機は子機における着信音を特定する識別符号を設定した際、子機に当該識別符号を送信し、子機は親機から送信された前記識別符号をメモリに記憶し、親機は電話回線から着信があった場合、子機に着信データを送信し、子機はメモリに記憶した前記識別符号に対応した着信音を出力する
従って、子機側においては何ら着信音切り替え操作、着信音切り替え設定を操作することなく、好みの着信音に切り替えることができるようになる。また、子機に音源データそのものを記憶しておき再生するものであるから、親機から着信音のアナログデータを無線通話チャネル経由で送信する従来の方法に比べ、音質が劣化することがない。また、子機において着信音が生成されるタイミングが遅れることもなくなる。
【００１８】
また、請求項３にかかる発明においては、子機は、親機と双方向通信する無線部と、複数の着信音の音源データを識別符号と対応付けて記憶したメモリと、前記メモリから読み出された音源データを再生出力する出力部とを備え、親機は電話回線から着信があった場合、前記ナンバーディスプレイ関連サービス設定において親機または子機に登録された電話番号を含む着信データを前記子機に送信する際、当該電話番号を含む着信データに着信音を特定する識別符号を付加して前記子機に送信する。
【００１９】
従って、子機側においては何ら着信音切り替え操作、着信音切り替え設定を操作することなく、ナンバーディスプレイサービスに登録した電話番号によって予め設定した異なる着信音に切り替えることができるようになる。また、子機に音源データそのものを記憶しておき再生するものであるから、親機から着信音のアナログデータを無線通話チャネル経由で送信する従来の方法に比べ、音質が劣化することがない。また、子機において着信音が生成されるタイミングが遅れることもなくなる。
【発明を実施するための最良の形態】
【００２０】
以下、本発明の具体例を実施例及び図面を用いて詳細に説明する。図１は本発明の実施例にかかるコードレス電話装置の外観を示す図である。図２は本発明の実施例にかかる親機の構成を示すブロック図、図３は本発明の実施例にかかる子機の構成を示すブロック図である。図４は子機のメモリに記憶される着信音のデータを説明するための説明図である。図５は本発明の実施例１にかかる通常着信における着信音切り替え手順を示すシーケンス図である。図６は子機３０における着信音切り替え処理の手順を示すフローチャートである。図７は実施例２における親機のメモリに記憶される着信音のデータを説明するための説明図である。図８は本発明の実施例２にかかるナンバーディスプレイサービス設定時の着信における着信信号切り替え手順を示すシーケンス図である。
【００２１】
本発明の実施例１にかかるコードレス電話装置１０の外観を示す図である。以下の実施例１においては、コードレス電話装置１０において、好みの着信音に切り替える通常着信時の構成について説明する。
【００２２】
コードレス電話装置１０は親機２０と子機３０とが無線で接続された構成となっており、子機３０から親機２０を介して通話の受信、発信が行えるようになっている。親機２０は、着信電話番号による着信音の切り替えが可能であり、同様に子機３０も親機２０からの着信信号に付加された識別符号によって当該識別符号に対応した着信音の音源データを子機３０のメモリから読み出してスピーカ等の出力手段で出力することができる。
親機２０は、図２のブロック図に示すように、電話回線制御部２１、音声信号処理部２２、無線部２３、制御部２４、マイク・スピーカ部２５、操作・表示部２６、メモリ２７、アンテナ２８を備えて構成されている。制御部２４はマイクロプロセッサからなる制御回路であり、図示していないＲＯＭ、ＲＡＭを備えている。ＲＯＭには各部動作を制御するプログラムを記憶しており、制御部２４が通話時間の計時、通話料金の算出を行えるプログラムなども書き込まれている。ＲＡＭには制御部２４の動作に必要な情報を記憶する。
【００２３】
電話回線制御部２１は公衆回線Ｎからの着信、公衆回線Ｎへの発信を制御するものであり、着信検出、ダイアルトーン検出などを行う。音声信号処理部２２は受話音声信号を処理してマイク・スピーカ部２５を介して出力し、あるいは、マイク・スピーカ部２５を介して入力された送話音声を処理して音声信号に変換して送出する。無線部２３はアンテナ２８を介して子機３０との間で発信信号、着信信号、送話音声信号、受信音声信号を通信する。
【００２４】
操作・表示部２６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示してコードレス電話装置１０の種々の機能設定をしたり、通信キャリアが提供する種々のサービス機能のオン・オフの設定をしたりすることができる。例えば、ナンバーディスプレイサービスやキャッチホンディスプレイサービス、ネームディスプレイサービスなどのオン・オフの設定ができる。本明細書においては、ナンバーディスプレイサービスやキャッチホンディスプレイサービス、ネームディスプレイサービスなどのサービスを総称してナンバ―ディスプレイ関連サービスということとする。
【００２５】
メモリ２７にはコードレス電話装置の各種機能の設定状況や、上記のナンバーディスプレイ関連サービスの設定状況などが記憶される他、ユーザが入力する電話帳、短縮ダイヤルの登録情報を記憶することができる。また、着信音切り替え機能を使用する場合には、着信音切り替え設定情報が記憶される。着信音切り替え設定情報はユーザが操作・表示部２６から入力するものであり、ユーザによって入力された着信電話番号と着信音の種別が関係付けられ、設定情報として記憶されるとともに、各着信音の音源データが記憶される。音源データは、各種リムーバブル記録媒体から入力したり、他の機器で再生した音源データを録音して入力したりすることができる。
【００２６】
本発明においては、メモリ２７に記憶する着信音切り替え設定情報には、後述するように子機３０側で切り替えるべき着信音を指定するための識別符号も記憶される。そして親機２０は電話回線制御部２１で着信を検出すると、子機３０に送信する着信データに識別符号を付加する。子機３０はこの識別符号に従った音源データを子機３０側のメモリから読み出して再生出力する。尚、上記識別符号は、ユーザのキー操作に応じて設定可能である。
【００２７】
子機３０は、図３のブロック図に示されるように、音声信号処理部３２、無線部３３、制御部３４、マイク・スピーカ部３５、操作・表示部３６、メモリ３７、アンテナ３８を備えて構成されている。制御部３４はマイクロプロセッサからなる制御回路であり、図示していないＲＯＭ、ＲＡＭを備えている。ＲＯＭには各部動作を制御するプログラムを記憶しており、制御部３４が親機２０と通信するためのプログラムなども書き込まれている。ＲＡＭには制御部３４の動作に必要な情報を記憶する。
【００２８】
音声信号処理部３２は受話音声信号を処理してマイク・スピーカ部３５を介して出力し、あるいは、マイク・スピーカ部３５を介して入力された送話音声を処理して音声信号に変換して送出する。無線部３３はアンテナ３８を介して親機２０との間で発信信号、送話音声信号、受信音声信号を通信する。
【００２９】
操作・表示部３６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示して子機３０の種々の機能設定をすることができる。
【００３０】
メモリ３７には子機３０の各種機能の設定状況が記憶される他、ユーザが入力する電話帳、短縮ダイヤルの登録情報を記憶することができる。また、着信音切り替え機能を使用する場合には、子機３０側で直接着信音を再生出力できるように音源データが記憶される。この音源データには、親機２０から着信信号とともに送信される識別符号が対応付けられて記憶される。各着信音の音源データは、各種リムーバブル記録媒体から入力したり、他の機器で再生した音源データを録音して入力したりすることができる。
【００３１】
子機３０のメモリ３７に記憶される着信音のデータは図４に示されるように、着信音名Ａ、Ｂ、Ｃ、メロディーＸ、メロディーＹ、メロディー毎に名着信音の音源データそのものが記憶され、それぞれに２進３ビットの識別符号（０００〜１０１）が対応付けられて記憶されている。親機２０のメモリ２７に記憶される着信音切り替え設定情報も同様であるが、親機２０においては、ユーザが通常着信時に親機２０および／または子機３０において切り替えるべき音源データに選択情報が対応付けられ記憶されている。
【００３２】
親機２０に公衆回線Ｎから着信すると、電話回線制御部２１が発信元の電話番号を解析し、制御部２４が子機３０に発信元電話番号を含む着信信号を送信する際、メモリ２７に記憶された着信音切り替え設定情報を参照して選択情報が記憶されている着信音を判定し、その識別符号を着信信号に付加して子機３０に送信する。
【００３３】
子機３０は親機２０から送信された着信信号を受信すると制御部３４は着信信号に付加された識別符号をもとにメモリ３７から対応する着信音の音源データを読み出し、マイク・スピーカ部３５により出力する。
【００３４】
これによって、子機３０側においては何ら着信音切り替え操作、着信音切り替え設定を操作することなく、好みの着信音に切り替えることができるようになる。また、子機３０に音源データそのものを記憶しておき再生するものであるから、親機２０から着信音のアナログデータを無線通話チャネル経由で送信する従来の方法に比べ、音質が劣化することがない。また、子機において着信音が生成されるタイミングが遅れることもなくなる。
【００３５】
図５は、以上説明したコードレス電話装置１０の着信音切り替えの手順を示すシーケンス図である。親機２０、子機３０はそれぞれシーケンスＳＱ１０、ＳＱ１１において着信待ち受け状態にある。シーケンスＳＱ１２において公衆回線Ｎから着信すると、電話回線制御部２１で着信検出、ダイアルトーン検出などを行い親機２０が着信状態になると、制御部２４はシーケンスＳＱ１３で子機２０に着信データを送信する。
【００３６】
この時、制御部２４は子機３０に無線送信する着信データに子機３０で出力すべき着信音を指定する識別符号を付加して送信する。子機３０は親機２０から送信された識別符号が付加された着信データを受信すると、制御部３４はシーケンスＳＱ１４で識別符号を判定し、メモリ３７から該当する着信音の音源データを読み出す。シーケンスＳＱ１５で子機３０が着信状態になると、シーケンスＳＱ１６において制御部３４はメモリ３７から読み出した音源データをマイク・スピーカ部３５で再生出力する。
【００３７】
図６は、子機３０における上記の手順を示すフローチャートである。子機３０はステップＳ１０の処理において、親機２０からの着信データを受信すると、制御部３４はステップＳＴ１１の処理において着信データに識別符号が付加されているかを判定する。識別符号が付加されていればステップＳＴ１２の処理においてメモリ３７から対応する音源データを読み出す。制御部３４は、ステップＳＴ１２の処理でメモリ３７から読み出された音源データをステップＳＴ１４の処理においてマイク・スピーカ部３５に再生出力する。
【００３８】
一方、ステップＳＴ１１の処理において識別符号が付加されていない場合には制御部３４はステップＳ１３の処理において子機２０に設定してある着信音に基づいてその音源データをメモリ３７から読み出す。制御部３４は、ステップＳＴ１３の処理でメモリ３７から読み出された音源データをステップＳＴ１４の処理においてマイク・スピーカ部３５に再生出力する。
【００３９】
ステップＳＴ１４の処理において着信音を再生出力すると、子機３０は次の通話シーケンス（ＳＱ）に進む。なお、図６において通話シーケンスは一般的なコードレス電話装置の通話手順であり省略されている。
【００４０】
尚、この実施例１において、着信時に識別符号を親機２０から子機３０へ送信する構成としたが、ユーザが親機２０に、子機３０に対応する識別符号を設定した時点で、親機２０から子機３０へ識別符号を送信し、子機３０は受信した識別符号をメモリに記憶し、それ以降、子機３０は着信時には記憶した識別符号に対応する着信音をスピーカ３５から送信する構成としても良い。
【００４１】
又、親機２０から子機３０へ識別符号を送信するタイミングとして、所定の時間間隔で送信する構成としても良い。
【００４２】
次に本発明の実施例２にかかるコードレス電話装置１０について説明する。実施例２はナンバーディスプレイサービスがオンに設定されている場合に発信元電話番号に応じて着信音を切り替え制御する構成である。この実施例２にかかるコードレス電話装置１０のハードウエアブロックの構成は図１〜図３に示したコードレス電話装置１０と全く同様である。また、子機３０のメモリ３７に記憶された着信音のデータは図４に示すデータと同様である。
【００４３】
ただし、親機２０のメモリ２７には、図７に示すように各音源データに関連付けてユーザがナンバーディスプレイサービスに登録した電話番号が付加される点が実施例１と異なる。実施例２において、公衆回線Ｎから着信があると、電話回線制御部２１は着信信号を解析して発信元の電話番号がナンバーディスプレイサービスに登録された電話番号であるかを検出する。ナンバーディスプレイサービスに登録された電話番号である場合、制御部２４は、発信元電話番号が関連付けられた着信音の音源データの識別符号をメモリ２７に記憶された着信音のデータから抽出する。そして、制御部２４は子機３０に発信元の電話番号を含む着信データを送信する際に、前記のようにして抽出した識別符号を付加して子機３０に無線送信する。
【００４４】
図８は上記の手順を示す着信音切り替えの手順を示すシーケンス図である。親機２０、子機３０はそれぞれシーケンスＳＱ２０、ＳＱ２１において着信待ち受け状態にある。シーケンスＳＱ２２において公衆回線Ｎから着信すると、電話回線制御部２１で着信検出、ダイアルトーン検出などを行い、発信元電話番号がナンバーディスプレイサービスに対してユーザが登録した電話番号であるかを検出する。ナンバーディスプレイサービスで登録されている発信元からの着信である場合、親機２０が着信状態になると、制御部２４はシーケンスＳＱ２３で子機２０に発信元電話番号を含む着信データを送信する。
【００４５】
この時、制御部２４は発信元電話番号が関連付けられた着信音の音源データの識別符号をメモリ２７に記憶された着信音のデータから抽出する。そして子機３０に無線送信する着信データに子機３０で出力すべき着信音を指定する識別符号を付加して送信する。子機３０は親機２０から送信された識別符号が付加された着信データを受信すると、制御部３４はシーケンスＳＱ２４で識別符号を判定し、メモリ３７から該当する着信音の音源データを読み出す。シーケンスＳＱ２５で子機３０が着信状態になると、シーケンスＳＱ２６において制御部３４はメモリ３７から読み出した音源データをマイク・スピーカ部３５で再生出力する。子機３０側の着信音切り替え制御の手順は実施例１と同様図６に示すフローチャートの手順である。
【００４６】
シーケンスＳＱ２２において電話回線制御部２１で発信元電話番号がナンバーディスプレイサービスに対してユーザが登録した電話番号でない場合には、実施例１の通常着信の場合と同様に、制御部２４が子機３０に発信元電話番号を含む着信信号を送信する際、メモリ２７に記憶された着信音切り替え設定情報を参照して選択情報が記憶されている着信音を判定し、その識別符号を着信信号に付加して子機３０に送信する。
【００４７】
これによって、子機３０側においては何ら着信音切り替え操作、着信音切り替え設定を操作することなく、ナンバーディスプレイサービスに登録した電話番号によって予め設定した異なる着信音に切り替えることができるようになる。また、子機３０に音源データそのものを記憶しておき再生するものであるから、親機２０から着信音のアナログデータを無線通話チャネル経由で送信する従来の方法に比べ、音質が劣化することがない。また、子機において着信音が生成されるタイミングが遅れることもなくなる。
【００４８】
上記実施例１、上記実施例２においては通常着信における着信音切り替え制御、ナンバーディスプレイサービスにおける発信元電話番号に応じた着信音切り替え制御の例を説明したが、本発明はそれに限られるものでなく、外線と内線着信によって着信音を切り替える着信音切り替え制御にも適用できることはいうまでもない。
【図面の簡単な説明】
【００４９】
【図１】本発明にかかるコードレス電話装置の外観を示す図である。
【図２】本発明の実施例にかかる親機の構成を示すブロック図、
【図３】本発明の実施例にかかる子機の構成を示すブロック図である。
【図４】子機のメモリに記憶される着信音のデータを説明するための説明図である。
【図５】本発明の実施例１にかかる通常着信における着信音切り替え手順を示すシーケンス図である。
【図６】子機３０における着信音切り替え処理の手順を示すフローチャートである。
【図７】実施例２における親機のメモリに記憶される着信音のデータを説明するための説明図である。
【図８】本発明の実施例２にかかるナンバーディスプレイサービス設定時の着信における着信信号切り替え手順を示すシーケンス図である。
【符号の説明】
【００５０】
１０・・・・コードレス電話装置
２０・・・・親機
２１・・・・電話回線制御部
２２・・・・音声信号処理部
２３・・・・無線部
２４・・・・制御部
２５・・・・マイク・スピーカ部
２６・・・・操作・表示部
２７・・・・メモリ
２８・・・・アンテナ
３０・・・・子機
３２・・・・音声信号処理部
３３・・・・無線部
３４・・・・制御部
３５・・・・マイク・スピーカ部
３６・・・・操作・表示部
３７・・・・メモリ
３８・・・・アンテナ
Ｎ・・・・・公衆回線
【図１】
2007013876.tif 000003
【図２】
2007013876.tif 000004
【図３】
2007013876.tif 000005
【図４】
2007013876.tif 000006
【図５】
2007013876.tif 000007
【図６】
2007013876.tif 000008
【図７】
2007013876.tif 000009
【図８】
2007013876.tif 000010